(57)【要約】【課題】段ボール等のシート１枚を折り畳み、組み合わせることによって形成され、包装箱の底部に装填することによって被包装物の下部を固定することができ、組立時の作業性に優れており、被包装物の固定性、及び、被包装物底面に対する緩衝性が良好な仕切体を提供すること。【解決手段】仕切体を構成するシートは、第一半底面板１、第一横仕切板３１、第二横仕切板３２、及び、第二半底面板２を連接して含むとともに、第一半底面板１若しくは第二半底面板２の左辺、及び／又は、第一半底面板１若しくは第二半底面板２の右辺に連接して緩衝板４、５及び縦仕切板６、７を含むものであり、縦仕切板６、７が挿入される抜溝８、８′、９、９′を、第一半底面板１と第一横仕切板３１との境界線、及び、第二横仕切板３２と第二半底面板２との境界線に直行して、両板にわたって有している。【選択図】図１
2008105718.tif 000002
【特許請求の範囲】
【請求項１】
１枚のシートから組み立てられ、かつ包装箱に装填される仕切体であって、
前記シートは、第一半底面板（１）、第一横仕切板（３１）、第二横仕切板（３２）、及び、第二半底面板（２）を連接して含むとともに、前記第一半底面板（１）若しくは前記第二半底面板（２）の左辺、及び／又は、前記第一半底面板（１）若しくは前記第二半底面板（２）の右辺に連接して緩衝板（４、５）及び縦仕切板（６、７）を含むものであり、
前記縦仕切板（６、７）が挿入される抜溝（８、８′、９、９′）を、前記第一半底面板（１）と前記第一横仕切板（３１）との境界線、及び、前記第二横仕切板（３２）と前記第二半底面板との境界線（２）に直行して、両板にわたって有している、ことを特徴とする仕切体。
【請求項２】
前記縦仕切板（６、７）の、前記緩衝板（４、５）と連接している辺の対辺には、前記第一横仕切板（３１）及び前記第二横仕切板（３２）と係合するための切欠溝（６ａ、７ａ）を有している、ことを特徴とする請求項１に記載の仕切体。
【請求項３】
前記抜溝（８、８′、９、９′）を、前記第一半底面板（１）と前記第一横仕切板（３１）との境界線に直行して２本、及び、前記第二横仕切板（３２）と前記第二半底面板（２）との境界線に直行して２本有する、ことを特徴とする請求項１又は２に記載の仕切体。
【請求項４】
内部に請求項１〜３のいずれかに記載の仕切体を装填してなる、ことを特徴とする包装箱。
【請求項５】
前記包装箱は、１枚のシートから組み立てられるものであり、
前記シートは、前面板（１１）、第一側面板（１２）、後面板（１３）及び第二側面板（１４）を連接して含むとともに、前記第一側面板（１２）及び前記第二側面板（１４）のいずれか一方又は双方の上端に連接して被包装物固定板（１２１、１４１）を含むものであり、
前記被包装物固定板（１２１、１４１）は、２本の折目を横方向に有しており、
当該２本の折目の間及び／又は直上に、抜孔（１２１ａ、１４１ａ）を有しているものである、ことを特徴とする請求項４に記載の包装箱。
【請求項６】
前記２本の折目間に、被包装物を固定するためのフラップを有し、前記抜孔は前記２本の折目の直上にある、ことを特徴とする請求項５に記載の包装箱。
【発明の詳細な説明】
【技術分野】
【０００１】
本発明は、割れやすいガラス瓶や、ペットボトル等の瓶類に代表される被包装物を安定に収納し、被包装物の輸送等において使用される包装箱において底部に装填されて複数本の被包装物の下部を固定するための仕切体、及び、それを底部に装填してなる包装箱に関する。
【背景技術】
【０００２】
従来、一升瓶等の大型ガラス製容器に代表される瓶類の輸送用包装箱として、段ボール等のシートを折り畳み、組み合わせることによって形成される包装箱が知られている。瓶類は輸送中の振動や衝撃によって割れやすいものであるが、そのような割れを防止するために、包装箱の底部に、発泡スチロールや段ボール製のシート、及び、井桁に組んだ仕切体を設置する方法が用いられている。しかしながらこの方法では使用する部材の種類が多く、装填作業が煩雑となっていた。
【０００３】
特許文献１では、包装箱の底部を上げ底にして瓶類を浮かしたうえで、瓶類の下部を４方向から固定するようにした包装箱が記載されている。ここでは、瓶類の底を保持するための縦立片と横立片に、瓶類の底を嵌めこむための支持切欠き部を形成している。この包装箱ではその底面と瓶類の底のあいだに空間を設けているので、瓶類の割れを防止するうえで効果的であるが、この包装箱の製造時には、支持切欠き部の抜き形状が複雑であることから、抜き加工時にトラブルが発生しやすく、また、瓶類収納前の包装箱の取扱い時や、包装箱組立作業時に、縦立片や横立片が折れ曲がったり、引きちぎれたりしやすいという問題があった。
【特許文献１】実開平６−７８２２４号公報
【発明の開示】
【発明が解決しようとする課題】
【０００４】
本発明は、上記現状に鑑み、段ボール等のシート１枚を折り畳み、組み合わせることによって形成され、包装箱の底部に装填することによって被包装物の下部を固定することができ、組立時の作業性に優れており、被包装物の固定性、及び、被包装物底面に対する緩衝性が良好な仕切体を提供することを課題とするものである。
【課題を解決するための手段】
【０００５】
本発明の仕切体は、１枚のシートから組み立てられ、かつ包装箱に装填される仕切体であり、
前記シートは、第一半底面板（１）、第一横仕切板（３１）、第二横仕切板（３２）、及び、第二半底面板（２）を連接して含むとともに、第一半底面板（１）若しくは第二半底面板（２）の左辺、及び／又は、第一半底面板（１）若しくは第二半底面板（２）の右辺に連接して緩衝板（４、５）及び縦仕切板（６、７）を含むものであり、
縦仕切板（６、７）が挿入される抜溝（８、８′、９、９′）を、第一半底面板（１）と第一横仕切板（３１）との境界線、及び、第二横仕切板（３２）と第二半底面板（２）との境界線に直行して、両板にわたって有している、ことを特徴とするものである。
【０００６】
上記シートから本発明の仕切体を組み立てるにあたっては、第一半底面板（１）と第一横仕切板（３１）との境界線、及び、第二横仕切板（３２）と第二半底面板（２）との境界線は−９０°の折曲（谷折り）をされ、第一横仕切板（３１）と第二横仕切板（３２）との境界線は１８０°の折曲（山折）をされる。これによって、第一横仕切板（３１）及び第二横仕切板（３２）が重ね合わさって、底面に対して垂直に、逆Ｔ字状に直立し、横方向での仕切壁を構成する。一方、第一半底面板（１）及び／又は第二半底面板（２）と緩衝板（４、５）との境界線は１８０°の折曲（山折）をされ、緩衝板（４、５）と縦仕切板（６、７）との境界線は９０°の折曲（山折）をされるとともに、縦仕切板（６、７）は抜溝（８、８′、９、９′）に挿入される。これによって、緩衝板（４、５）は、第一半底面板（１）及び第二半底面板（２）の裏側に、これと重ね合わせられて配置され、縦仕切板（６、７）は、底面に対して垂直に直立し、縦方向での仕切壁を構成する。
【０００７】
本発明の仕切体は、好ましくは、縦仕切板（６、７）の、緩衝板（４、５）と連接している辺の対辺に、第一横仕切板（３１）及び第二横仕切板（３２）と係合するための切欠溝（６ａ、７ａ）を有している。
【０００８】
本発明の仕切体は、好ましくは、抜溝（８、８′、９、９′）を、第一半底面板（１）と第一横仕切板（３１）との境界線に直行して２本、及び、第二横仕切板（３２）と第二半底面板（２）との境界線に直行して２本有する。
【０００９】
本発明の包装箱は、その内部に前記仕切体を装填してなるものである。
【００１０】
前記包装箱は、好ましくは、１枚のシートから組み立てられるものであり、
前記シートは、前面板（１１）、第一側面板（１２）、後面板（１３）及び第二側面板（１４）を連接して含むとともに、第一側面板（１２）及び第二側面板（１４）のいずれか一方又は双方の上端に連接して被包装物固定板（１２１、１４１）を含むものであり、
前記被包装物固定板（１２１、１４１）は、２本の折目を横方向に有しており、
当該２本の折目の間及び／又は直上に、抜孔（１２１ａ、１４１ａ）を有しているものである。
【００１１】
前記包装箱を構成する前記シートは、好ましくは、前記２本の折目間に、被包装物を固定するためのフラップを有し、前記抜孔は前記２本の折目の直上にある。
【発明の効果】
【００１２】
本発明の仕切体は、上述の構成よりなるので、段ボール等のシート１枚を折り畳み、組み合わせることによって形成され、包装箱の底部に装填することによって被包装物の下部を固定することができ、組立時の作業性に優れており、被包装物の固定性、及び、被包装物底面に対する緩衝性がきわめて良好である。なお本発明は、被包装物が衝撃を受けることによって割れやすいガラス瓶等の瓶類である場合に特に有効である。
【００１３】
本発明の仕切体は、包装箱の底部に装填して使用されるものであり、包装箱の底面に対して仕切体が直接接触するような状態で装填することができる。収納される被包装物の底面は、第一半底面板（１）及び第二半底面板（２）が構成する仕切体底面の表（上）側に直接接触することになる。一方、緩衝板（４、５）は、当該仕切体底面の裏（下）側に配置され、当該仕切体底面と、包装箱の底面とのあいだに挟み込まれている状態になる。このような底部の二層構造によって、本発明の仕切体では、被包装物底面に対する衝撃を大幅に緩和することが可能になる。
【００１４】
さらに、本発明の仕切体は、底面を持つ包装箱内部に装填して用いられることから、包装箱の底面が被包装物の重みにより底抜けする危険性を低減できる。
【００１５】
また、本発明の仕切体を構成するシートは、簡素な形状であるので、製造が容易で、その際のトラブルも惹起しにくく、製造時の切り抜きに伴う廃棄部分の発生量が少ない。
【００１６】
さらには、仕切体として組み立てるにあたって、糊付け作業が不要であり、組立の作業効率がきわめて良好である。
【発明を実施するための最良の形態】
【００１７】
以下に、本発明の具体的な実施態様を図面を参照しつつ詳細に説明するが、本発明はこれら実施態様又は図面に限定されるものではない。
【００１８】
ここで、図１は、本発明の一実施形態による縦２列、横３列の合計６本収納可能な仕切体を構成するシートの展開平面図であり、図２〜５はそれぞれ、当該シートから組み立てられた仕切体の天面図、底面図、長辺側からみた側面図、及び、短辺側からみた側面図である。図６は、本発明の仕切体と組み合わせて使用可能な包装箱の一実施形態を構成するシートの展開平面図である。
【００１９】
本発明の仕切体を構成するシートでは、図１に示すとおり、第一半底面板１、第一横仕切板３１、第二横仕切板３２、及び、第二半底面板２が、この順序で、上下方向に連接しているものであるが、各板間の境界線には、折目（罫線）が刻印されている。
【００２０】
これら４枚の板の幅（図１での長辺の長さ）は実質的に同一であり、仕切体が図１のように横３列で被包装物を収納することを目的としたものであれば、被包装物下部の最大径を考慮して被包装物３本が適正に収納されるような長さに調整され、仕切体が横２列での被包装物収納を目的としていれば被包装物２本が適正に収納されるような長さに調整される。
【００２１】
第一半底面板１及び第二半底面板２の高さ（図１での短辺の長さ）は実質的に同一であり、仕切体が図１のように縦２列での被包装物収納を目的としている場合、それぞれ被包装物１本が適切に収納されるような長さに調整される。一方、第一横仕切板３１及び第二横仕切板３２の高さは実質的に同一であるが、特に限定されず、これらによって形成される仕切壁が被包装物間の接触を回避できるような高さに調整すればよい。
【００２２】
第一半底面板１と第一横仕切板３１との境界線、及び、第二横仕切板３２と第二半底面板２との境界線は、仕切体の組立時にほぼ−９０°の折曲をされる。一方、第一横仕切板３１と第二横仕切板３２との境界線は、１８０°の折曲をされる。以上の折曲によって、第一横仕切板３１及び第二横仕切板３２が重ね合わさって、底面に対してほぼ垂直に、逆Ｔ字状に直立することになる。すなわち、第一半底面板１及び第二半底面板２が並列して仕切体の底面を構成する一方、第一横仕切板３１及び第二横仕切板３２が、重ね合わさって、横方向（図１での第一半底面板１の長辺に平行な方向）での仕切壁を構成することになる。
【００２３】
第一半底面板１の左辺及び右辺には、それぞれ１枚ずつ、緩衝板４、５が連接しており、さらに、左側の緩衝板４の左辺及び右側の緩衝板５の右辺には、それぞれ１枚ずつ、縦仕切板６、７が連接している。緩衝板４、５の高さは、仕切体が図１のように縦２列での被包装物収納を目的としている場合、被包装物２本を収納可能とするものに調整される。縦仕切板６、７の高さは緩衝板４、５の高さよりもやや短めのものに調整される。
【００２４】
緩衝板４、５の幅は、第一半底面板１の左右辺から、後述する抜溝８、８′、９、９′までの長さ（被包装物１本の収納を可能にする長さ）と同一になるよう調整される。縦仕切板６、７の幅は第一横仕切板３１及び第二横仕切板３２の高さと実質的に同一であるか、又は、それよりもやや長いか若しくは短いものに調整される（図２〜５ではやや短いものを示した）。
【００２５】
第一半底面板１と緩衝板４、５との境界線は、仕切体の組立時に１８０°の折曲をされる。これによって、緩衝板４、５は、第一半底面板１及び第二半底面板２が構成する仕切体の底面の裏（下）側に、これと重ね合わせられて配置されることになる。一方、緩衝板４、５と縦仕切板６、７との境界線はほぼ９０°の折曲をされ、これとともに、縦仕切板６、７は抜溝８、８′、９、９′に挿入される。これによって、縦仕切板６、７は、底面に対してほぼ垂直に直立させられ、縦方向（図１での第一半底面板１の長辺に垂直な方向）での仕切壁を構成することになる。
【００２６】
抜溝８、８′、９、９′は、第一半底面板１と第一横仕切板３１との境界線に直行して、両板にわたって設けられ、さらに、第二横仕切板３２と第二半底面板２との境界線に直行して、両板にわたって設けられるもので、縦仕切板６、７が挿入され、これらとの係合を可能とするものである。仕切体が横２列での被包装物収納を目的とするものの場合、抜溝は、第一半底面板１と第一横仕切板３１との境界線に直行して１本、第二横仕切板３２と第二半底面板２との境界線に直行して１本設けられ、それらの幅は、２枚の縦仕切板６、７を重ねて挿入することができるようシート２枚の厚みに調整される。一方、図１に示すように、仕切体が横３列での被包装物収納を目的とするものの場合、抜溝は、第一半底面板１と第一横仕切板３１との境界線に直行して２本、第二横仕切板３２と第二半底面板２との境界線に直行して２本設けられ、それらの幅は、縦仕切板６、７を１枚ずつ挿入することができるようシート１枚の厚みに調整される。
【００２７】
切欠溝６ａ、７ａは、２枚の縦仕切板６、７それぞれにおいて、緩衝板４、５と連接している辺の対辺（左側の縦仕切板６の左辺、及び、右側の縦仕切板７の右辺）に設けられるもので、第一横仕切板３１及び第二横仕切板３２に係合するためのものである。その幅は、重ね合わさって直立している２枚の横仕切板が差し込まれるようシート２枚の厚みに調整される。切欠溝６ａ、７ａを設けることによって、縦方向及び横方向での仕切壁が互いに固定され、両者の安定性が向上することになる。
【００２８】
以上のようなシートから組み立てられる本発明の仕切体については、図２〜５で、その天面図、底面図、長辺からみた側面図、及び、短辺からみた側面図を示した。
【００２９】
本発明の仕切体は、少なくとも前後側面及び底面を有する包装箱に装填して使用されるものであるが、そのような包装箱としては、複数本（好ましくは縦２列、横３列の合計６本、又は、縦２列、横２列の合計４本）の被包装物を直立させた状態で収納できるものであれば特に限定されない。しかしながら、収納した被包装物の安定性、固定性をより良くするために、被包装物の上部を固定できる形状を持ったものが好ましい。
【００３０】
具体的には、図６で示すような１枚のシートから組み立てられる包装箱が挙げられる。当該シートにおいて、前面板１１、第一側面板１２、後面板１３及び第二側面板１４は、この順序で連接しているものであるが、各板間の境界線には、折目が刻印されている。これらの境界線が包装箱の組立時にほぼ９０°の折曲（山折り）をされることによって、上記四面が包装箱の前後側面を構成することになる。
【００３１】
第一側面板１２及び第二側面板１４のいずれか一方又は双方の上端に、フラップ状に、被包装物固定板１２１、１４１が連接しているが、図６では、双方の上端に連接しているものを示している。第一側面板１２及び／又は第二側面板１４と、被包装物固定板１２１、１４１との境界線には、折目が刻まれている。当該境界線は、包装箱の組立時にほぼ９０°の折曲をされる。
【００３２】
被包装物固定板１２１、１４１は、横方向に刻まれた２本の折目を有する。２本の折目は、横方向（第一側面板１２又は第二側面板１４と被包装物固定板との境界線に対してほぼ平行になる方向）に刻まれている。上方の折目（第一側面板１２又は第二側面板１４から遠隔にあるほうの折目）は、包装箱の組立時にほぼ−９０°の折曲（谷折り）をされる。一方、下方の折目（第一側面板１２又は第二側面板１４の近傍にあるほうの折目）は、組立時にほぼ９０°の折曲をされる。以上によって、組み立てられた包装箱において、被包装物固定板のうち上方の折目より上位にある面１２１ａ、１４１ａ、及び、第一側面板１２又は第二側面板１４と下方の折目との間にある面１２１ｃ、１４１ｃは、底面とほぼ平行に保たれる一方、２本の折目のあいだにある面１２１ｂ、１４１ｂは、底面に対してほぼ垂直に、直立することになる。
【００３３】
被包装物固定板１２１、１４１に２本の折目を設けることによって、包装箱の組立時に１８０°折曲を行う必要がなくなり、組立時の作業性を向上させることができる。さらに、上述した底面に対して垂直な直立面１２１ｂ、１４１ｂ、及び、当該２本の折目の間及び／又は直上に設けられた抜孔１２１ａ、１４１ａを利用することによって、被包装物の上部を包装箱内で安定に保持することが可能になる。具体的には、包装箱に収容された被包装物が水平方向の衝撃により振動するのを抑止することができる。被包装物を包装箱に収容する際には、被包装物の上部を被包装物固定板１２１、１４１の裏（下）側から、抜孔１２１ａ、１４１ａに挿入する。
【００３４】
前記包装箱は、図１には示していないが、前記２本の折目間に、被包装物を固定するためのフラップを有し、前記抜孔は前記２本の折目の直上にあるものとしてもよい。フラップを設けることによって、被包装物のより安定な固定が可能になる。当該フラップは、シートに切目を入れることにより開閉可能なように設けられ、被包装物を収納する際に当該フラップを開口することによって、開口部を生ぜしめる。被包装物を包装箱に収容する際には、被包装物の上部を抜孔１２１ａ、１４１ａから挿入し、さらにフラップを開口することによって生じた開口部を通過させる。これによって被包装物の上部は、抜孔及び開口部に嵌合するとともに、開口したフラップによって固定されることになる。
【００３５】
フラップは、片開きの構造をとるものであってもよいが、より安定な被包装物の固定を可能とするために、両開きの構造をとるものが好ましい。フラップの形状としては特に限定されないが、シートに切目を入れることのみで作成可能な形状が好ましい。作成の便宜さ及び固定の確実さから、長方形状のものが好ましいが、収納する被包装物の上部の形状に合わせて、例えば台形状のもの等も挙げられる。フラップの大きさとしては、収納する被包装物の上部の大きさに合わせて調整すればよい。
【００３６】
被包装物固定板１２１、１４１は、上述のとおり第一側面板１２及び第二側面板１４のいずれか一方又は双方の上端に連接してあるものであるが、図６に示すように双方の上端に連接してある場合には、その２枚の被包装物固定板１２１、１４１を突き合わせた時に噛合を可能とする切欠部１２１ｃ、１４１ｃを、被包装物固定板の上端に有することが好ましい。特に包装箱を縦２列、横３列の合計６本入りとする場合においては、被包装物固定板１２１、１４１が長くなるために撓みやすくなるが、２枚の被包装物固定板１２１、１４１を噛合することによってその撓みを抑止することができる。これによって、被包装物の固定性、特に垂直方向に対する固定性を向上させることができる。切欠部の形状は、２枚の被包装物固定板の噛合が可能となるものであれば特に限定されない。
【００３７】
被包装物固定板１２１、１４１は、抜孔１２１ａ、１４１ａの上方に、被包装物の上部を挿入して固定する保持孔１２１ｂ、１４１ｂをさらに有することができる。この保持孔は、例えば包装箱が縦２列、横３列の合計６本入りの場合には、横３列のうち中央の１列に含まれる２本を固定することが可能にする。保持孔１２１ｂ、１４１ｂの形状は、被包装物の上部の形状に合わせて円形やそれに類した形状であり、大きさは被包装物の上部の径を考慮して調整すればよい。また、この保持孔に被包装物の上部を挿入することによって、被包装物固定板の安定性をより向上させることができる。
【００３８】
前面板１１の上端には、折目を介して、フラップ状の蓋板１１１が連接していることが好ましい。当該折目が、組立の最終段階で９０°の折曲をされることによって、蓋板１１１が包装箱の上蓋を構成することになる。
【００３９】
前記包装箱においては、底面の構造は特に限定されないが、本発明の仕切体を装填する必要があるので、通常のダンボール箱に見られるような特別な工夫を施していない底面であってよい。
【図面の簡単な説明】
【００４０】
【図１】本発明の一実施形態による縦２列、横３列の合計６本収納可能な仕切体を構成するシートの展開平面図
【図２】図１記載のシートから組み立てられた仕切体の天面図
【図３】図１記載のシートから組み立てられた仕切体の底面図
【図４】図１記載のシートから組み立てられた仕切体の、長辺側からみた側面図
【図５】図１記載のシートから組み立てられた仕切体の、短辺側からみた側面図
【図６】本発明の仕切体と組み合わせて使用可能な包装箱の一実施形態を構成するシートの展開平面図
【符号の説明】
【００４１】
１：第一半底面板
２：第二半底面板
３１：第一横仕切板
３２：第二横仕切板
４、５：緩衝板
６、７：縦仕切板
６ａ、７ａ：切欠溝
８、８′、９、９′：抜溝
１１：前面板
１２：第一側面板
１３：後面板
１４：第二側面板
１１１：蓋板
１１２、１２２、１３２、１４２：底面板
１２１、１４１：被包装物固定板
１２１ａ、１４１ａ：抜孔
１２１ｂ、１４１ｂ：保持孔
１２１ｃ、１４１ｃ：切欠部
【図１】
2008105718.tif 000003
【図２】
2008105718.tif 000004
【図３】
2008105718.tif 000005
【図４】
2008105718.tif 000006
【図５】
2008105718.tif 000007
【図６】
2008105718.tif 000008